(57)【要約】【課題】磁気ストライプのリードライト処理を省略することによって、磁気ストライプ態様の相違する通帳であっても記帳処理を行うことができ、各種の磁気ストライプ態様の通帳を処理することができるようにする。【解決手段】金融取引の処理を行う金融機関の勘定系上位装置に接続され、前記金融機関の顧客が操作して金融取引を行う自動取引装置１０であって、顧客の通帳に記帳する記帳処理を行う通帳処理部と、顧客が操作して前記記帳処理を選択する顧客操作部とを有し、前記通帳処理部は、前記通帳の頁に印字する印字部と、前記通帳の頁に印字された事項の読取りを行う光学読取り部とを備え、該光学読取り部が読み取った頁数及び印字済みの最終行数を、前記勘定系上位装置から受信した印字済みの最終頁のデータ及び印字済みの最終行のデータと比較してマッチングチェックを行う。【選択図】図１
2010026552.tif 000002
【特許請求の範囲】
【請求項１】
（ａ）金融取引の処理を行う金融機関の勘定系上位装置に接続され、前記金融機関の顧客が操作して金融取引を行う自動取引装置であって、
（ｂ）前記顧客の通帳に記帳する記帳処理を行う通帳処理部と、
（ｃ）前記顧客が操作して前記記帳処理を選択する顧客操作部とを有し、
（ｄ）前記通帳処理部は、前記通帳の頁に印字する印字部と、前記通帳の頁に印字された事項の読取りを行う光学読取り部とを備え、
（ｅ）該光学読取り部が読み取った頁数及び印字済みの最終行数を、前記勘定系上位装置から受信した印字済みの最終頁のデータ及び印字済みの最終行のデータと比較してマッチングチェックを行うことを特徴とする自動取引装置。
【請求項２】
前記光学読取り部が読み取った頁数及び印字済みの最終行数と前記勘定系上位装置から受信した印字済みの最終頁のデータ及び印字済みの最終行のデータとが一致すると、前記通帳処理部が記帳処理を行う請求項１に記載の自動取引装置。
【請求項３】
前記通帳処理部は、通帳に貼付された磁気ストライプのリードライト処理を行わない請求項１又は２に記載の自動取引装置。
【請求項４】
（ａ）金融取引の処理を行う金融機関の勘定系上位装置に接続され、前記金融機関の顧客が操作して金融取引を行う自動取引装置による記帳方法であって、
（ｂ）前記顧客の通帳に記帳する記帳処理を顧客が選択すると、通帳の頁に印字された事項の読取りを行い、読み取った頁数及び印字済みの最終行数を、前記勘定系上位装置から受信した印字済みの最終頁のデータ及び印字済みの最終行のデータと比較してマッチングチェックを行うことを特徴とする自動取引装置による記帳方法。
【請求項５】
前記読み取った頁数及び印字済みの最終行数と前記勘定系上位装置から受信した印字済みの最終頁のデータ及び印字済みの最終行のデータとが一致すると、記帳処理を行う請求項４に記載の自動取引装置による記帳方法。
【請求項６】
通帳に貼付された磁気ストライプのリードライト処理を行わない請求項４又は５に記載の自動取引装置による記帳方法。
【請求項７】
（ａ）金融取引の処理を行う金融機関の勘定系上位装置に接続され、前記金融機関の顧客が操作して金融取引を行う自動取引装置であって、
（ｂ）前記顧客の通帳に記帳する記帳処理を行う通帳処理部と、
（ｃ）前記顧客が操作して前記記帳処理を選択する顧客操作部とを有し、
（ｄ）前記通帳処理部は、前記通帳の頁に印字する印字部と、前記通帳の頁に印字された事項の読取りを行う光学読取り部とを備え、
（ｅ）該光学読取り部が読み取った頁数及び印字済みの最終行数と前記勘定系上位装置から受信した印字済みの最終頁のデータ及び印字済みの最終行のデータとが一致すると、前記通帳処理部が記帳処理を行うとともに、該記帳処理によって印字した行であることを示すマークを印字することを特徴とする自動取引装置。
【請求項８】
（ａ）金融取引の処理を行う金融機関の勘定系上位装置に接続され、前記金融機関の顧客が操作して金融取引を行う自動取引装置による記帳方法であって、
（ｂ）前記顧客の通帳に記帳する記帳処理を顧客が選択すると、通帳の頁に印字された事項の読取りを行い、読み取った頁数及び印字済みの最終行数と前記勘定系上位装置から受信した印字済みの最終頁のデータ及び印字済みの最終行のデータとが一致すると、記帳処理を行うとともに、該記帳処理によって印字した行であることを示すマークを印字することを特徴とする自動取引装置による記帳方法。
【発明の詳細な説明】
【技術分野】
【０００１】
本発明は、自動取引装置及び自動取引装置による記帳方法に関するものである。
【背景技術】
【０００２】
従来、銀行、信用金庫、郵便局等の金融機関に口座を開設した顧客は、金融機関の支店等に配設されたＡＴＭ（Ａｕｔｏｍａｔｉｃ  Ｔｅｌｌｅｒ  Ｍａｃｈｉｎｅ：現金自動預払機）、ＣＤ（Ｃａｓｈ  Ｄｉｓｐｅｎｓｅｒ：現金自動支払機）等の自動取引装置を操作することによって、入金、出金、通帳記帳、残高照会、振込、振替、送金、定期性預金設定等の各種金融取引を行うことができるようになっている（例えば、特許文献１及び２参照。）。
【０００３】
この場合、前記自動取引装置は、キャッシュカード等のカードを挿入するためのカードスロットとともに、通帳を挿入するための通帳スロットを備える。また、前記通帳に金融取引に関する事項、例えば、取引の種類、取引の行われた月日、取引の金額等を記帳するための通帳記帳機も備える。そして、金融取引を行う際に前記通帳スロットに顧客が預金通帳等の通帳を挿入すると、行われた金融取引に関する事項を前記通帳記帳機が記帳した後、前記通帳スロットから通帳を排出して顧客に返却する。
【０００４】
ここで、前記通帳記帳機は、磁気ヘッドを含むリードライト部を備え、通帳スロットに通帳が挿入されると、前記リードライト部が通帳の表表紙又は裏表紙に貼（てん）付された磁気ストライプに記録された口座番号等の磁気データを読み取るようになっている。また、前記通帳記帳機は、発光素子、受光素子等を含む光学センサ部を備え、前記磁気データの読取りが正常に行われると、通帳の用紙に印刷されている頁マーク及び印字済み行数を光学センサ部が読み取るようになっている。
【０００５】
なお、前記磁気データに通帳の最終印字頁及び最終印字行のデータが含まれている場合には、自動取引装置の主制御部が、光学センサ部が読み取った頁マーク及び印字済み行数と、リードライト部が読み取った磁気データに含まれる最終印字頁及び最終印字行とを比較するコンペアチェックを行う。そして、前記磁気データの読取りが正常に行われ、かつ、コンペアチェックの結果がＯＫである場合には、リードライト部が読み取った磁気データに含まれる最終印字頁及び最終印字行が、自動取引装置の上位装置であるホストコンピュータに送信される。
【０００６】
また、前記通帳に記帳されていない明細がある場合、ホストコンピュータは、印字電文を自動取引装置に送信する。そして、該自動取引装置が印字電文を受信すると、前記通帳記帳機は、受信した印字電文を通帳に記帳する。続いて、通帳記帳機のリードライト部が磁気データに含まれる最終印字頁及び最終印字行のデータを更新すると、自動取引装置は処理を終了する。
【特許文献１】特開平０５−２０４９５４号公報
【特許文献２】特開２００２−１８３８０２号公報
【発明の開示】
【発明が解決しようとする課題】
【０００７】
しかしながら、前記従来の自動取引装置においては、通帳スロットに磁気ストライプ態様が異なる通帳が挿入された場合、通帳記帳機のリードライト部が磁気データを読み取ることができないことがある。
【０００８】
図２は通帳の磁気ストライプ態様の例を示す図である。
【０００９】
図において、４１は通帳であり、表表紙４２ａ及び裏表紙４２ｂを備える。通帳４１は、通常、表表紙４２ａと裏表紙４２ｂとの境界に位置する折り目４２ｃを中心に、かつ、表表紙４２ａ及び裏表紙４２ｂが外側となるように折り畳んだ状態で顧客によって保持されるが、記帳の際には、図に示されるように、開いた状態で自動取引装置の通帳スロットに挿入される。
【００１０】
また、４３は通帳４１に貼付された磁気ストライプである。図２（ａ）〜（ｄ）に示されるように、各金融機関が導入している自動取引装置が備える通帳記帳機の型式毎に、磁気ストライプ４３の形状、大きさ、貼付位置、貼付方向等の異なる様々な磁気ストライプ態様の通帳４１が存在する。
【００１１】
例えば、図２（ａ）に示される例では、縦長の磁気ストライプ４３が裏表紙４２ｂの左端近傍に貼付されている。この場合、通帳記帳機は、通帳スロット内の左端近傍に配設された磁気ヘッドを備え、該磁気ヘッドを通帳４１に対して相対的に移動させて、磁気データの読取り及び書込み、すなわち、リードライトを行う。
【００１２】
また、図２（ｂ）に示される例では、長方形の磁気ストライプ４３が裏表紙４２ｂの左寄りに貼付されている。この場合、通帳記帳機は、通帳スロット内の左寄りに配設された磁気ヘッドを備え、該磁気ヘッドを通帳４１に対して相対的に移動させて、磁気データのリードライトを行う。
【００１３】
さらに、図２（ｃ）に示される例では、縦長の磁気ストライプ４３が裏表紙４２ｂの右端近傍に貼付されている。この場合、通帳記帳機は、通帳スロット内の右端近傍に配設された磁気ヘッドを備え、該磁気ヘッドを通帳４１に対して相対的に移動させて、磁気データのリードライトを行う。
【００１４】
さらに、図２（ｄ）に示される例では、横長の磁気ストライプ４３が裏表紙４２ｂの下端近傍に貼付されている。この場合、通帳記帳機は、通帳スロットの幅方向に移動可能な磁気ヘッドを備え、該磁気ヘッドを通帳４１に対して相対的に移動させて、磁気データのリードライトを行う。
【００１５】
このように、磁気ストライプ態様の相違に応じて磁気ヘッドの位置、動作等が相違するリードライト部を備えた通帳記帳機が必要とされるので、複数種類の磁気ストライプ態様の通帳４１に対応可能な自動取引装置を準備しようとすると、磁気ヘッドの位置、動作等が異なる複数のリードライト部を備えた通帳記帳機を自動取引装置に装着する必要があり、自動取引装置が大型化し、かつ、コストが高くなってしまう。
【００１６】
また、自動取引装置システム等のシステムが異なり、磁気ストライプ態様の相違する通帳４１を使用してきた金融機関同士が合併したり業務を共通化したりした場合、どちらか一方の磁気ストライプ態様の通帳４１に統一するか、新規な磁気ストライプ態様の通帳４１を使用する必要がある。そして、どちらか一方の磁気ストライプ態様の通帳４１に統一する場合、他方の磁気ストライプ態様の通帳４１を使用してきた顧客に統一された磁気ストライプ態様の通帳４１を配布したり、他方の磁気ストライプ態様の通帳４１に対応する通帳記帳機を統一された磁気ストライプ態様の通帳４１に対応する通帳記帳機に取り替えたりする必要があり、費用がかかってしまう。また、新規な磁気ストライプ態様の通帳４１を使用する場合も、すべての顧客に新たな磁気ストライプ態様の通帳４１を配布し、かつ、通帳記帳機を開発する必要があるので、多額の費用がかかってしまう。
【００１７】
本発明は、前記従来の自動取引装置の問題点を解決して、磁気ストライプのリードライト処理を省略することによって、磁気ストライプ態様の相違する通帳であっても記帳処理を行うことができ、各種の磁気ストライプ態様の通帳を処理することができる自動取引装置及び自動取引装置による記帳方法を提供することを目的とする。
【課題を解決するための手段】
【００１８】
そのために、本発明の自動取引装置においては、金融取引の処理を行う金融機関の勘定系上位装置に接続され、前記金融機関の顧客が操作して金融取引を行う自動取引装置であって、前記顧客の通帳に記帳する記帳処理を行う通帳処理部と、前記顧客が操作して前記記帳処理を選択する顧客操作部とを有し、前記通帳処理部は、前記通帳の頁に印字する印字部と、前記通帳の頁に印字された事項の読取りを行う光学読取り部とを備え、該光学読取り部が読み取った頁数及び印字済みの最終行数を、前記勘定系上位装置から受信した印字済みの最終頁のデータ及び印字済みの最終行のデータと比較してマッチングチェックを行う。
【００１９】
本発明の他の自動取引装置においては、さらに、前記光学読取り部が読み取った頁数及び印字済みの最終行数と前記勘定系上位装置から受信した印字済みの最終頁のデータ及び印字済みの最終行のデータとが一致すると、前記通帳処理部が記帳処理を行う。
【００２０】
本発明の更に他の自動取引装置においては、さらに、前記通帳処理部は、通帳に貼付された磁気ストライプのリードライト処理を行わない。
【００２１】
本発明の自動取引装置による記帳方法においては、金融取引の処理を行う金融機関の勘定系上位装置に接続され、前記金融機関の顧客が操作して金融取引を行う自動取引装置による記帳方法であって、前記顧客の通帳に記帳する記帳処理を顧客が選択すると、通帳の頁に印字された事項の読取りを行い、読み取った頁数及び印字済みの最終行数を、前記勘定系上位装置から受信した印字済みの最終頁のデータ及び印字済みの最終行のデータと比較してマッチングチェックを行う。
【００２２】
本発明の他の自動取引装置による記帳方法においては、さらに、前記読み取った頁数及び印字済みの最終行数と前記勘定系上位装置から受信した印字済みの最終頁のデータ及び印字済みの最終行のデータとが一致すると、記帳処理を行う。
【００２３】
本発明の更に他の自動取引装置による記帳方法においては、さらに、通帳に貼付された磁気ストライプのリードライト処理を行わない。
【００２４】
本発明の更に他の自動取引装置においては、金融取引の処理を行う金融機関の勘定系上位装置に接続され、前記金融機関の顧客が操作して金融取引を行う自動取引装置であって、前記顧客の通帳に記帳する記帳処理を行う通帳処理部と、前記顧客が操作して前記記帳処理を選択する顧客操作部とを有し、前記通帳処理部は、前記通帳の頁に印字する印字部と、前記通帳の頁に印字された事項の読取りを行う光学読取り部とを備え、該光学読取り部が読み取った頁数及び印字済みの最終行数と前記勘定系上位装置から受信した印字済みの最終頁のデータ及び印字済みの最終行のデータとが一致すると、前記通帳処理部が記帳処理を行うとともに、該記帳処理によって印字した行であることを示すマークを印字する。
【００２５】
本発明の更に他の自動取引装置による記帳方法においては、金融取引の処理を行う金融機関の勘定系上位装置に接続され、前記金融機関の顧客が操作して金融取引を行う自動取引装置による記帳方法であって、前記顧客の通帳に記帳する記帳処理を顧客が選択すると、通帳の頁に印字された事項の読取りを行い、読み取った頁数及び印字済みの最終行数と前記勘定系上位装置から受信した印字済みの最終頁のデータ及び印字済みの最終行のデータとが一致すると、記帳処理を行うとともに、該記帳処理によって印字した行であることを示すマークを印字する。
【発明の効果】
【００２６】
本発明によれば、自動取引装置においては、磁気ストライプのリードライト処理を省略することによって、磁気ストライプ態様の相違する通帳であっても記帳処理を行うことができるようになっている。これにより、各種の磁気ストライプ態様の通帳を処理することができる。
【発明を実施するための最良の形態】
【００２７】
以下、本発明の実施の形態について図面を参照しながら詳細に説明する。
【００２８】
図１は本発明の第１の実施の形態における自動取引装置の構成を示す図である。
【００２９】
図において、１０は、銀行、信用金庫、郵便局等の金融機関の支店等の営業店に配設されたＡＴＭ、ＣＤ等の自動取引装置であり、前記金融機関の顧客が、自分で操作して入金、出金、通帳記帳、残高照会、振込、振替、送金、定期性預金設定等の金融取引を行うための装置である。なお、前記自動取引装置１０は、コンビニエンスストア、スーパーマーケット、デパート等の商店の店舗、地下街、駅の構内、市役所、病院等の公共施設、工場、事務所等の私企業、駐車場、道路脇（わき）等の屋外等に配設されていてもよい。また、前記自動取引装置１０は、他の機能、例えば、チケット予約機能、商品購入申込み機能、クレジットカードの与信確認機能、施設情報案内機能等を有するキオスク（ＫＩＯＳＫ）端末のような多機能端末であってもよい。なお、前記顧客は金融機関に自己の口座を開設し、前記金融取引を行う者である。
【００３０】
そして、前記自動取引装置１０は、第１の顧客操作部１１ａ及び第２の顧客操作部１１ｂを有する。前記第１の顧客操作部１１ａは、キーボード、押しボタン等の入力装置、アイリス、指紋、手のひら静脈パターン、手指静脈パターン等の生体認証情報を取得する生体認証情報取得装置等を備える。また、前記第２の顧客操作部１１ｂは、ＣＲＴ、液晶ディスプレイ、ＬＥＤ（Ｌｉｇｈｔ  Ｅｍｉｔｔｉｎｇ  Ｄｉｏｄｅ）ディスプレイ等の表示装置を備える。なお、該表示装置は、入力装置の機能を兼ね備えるタッチパネルであってもよい。さらに、前記第１の顧客操作部１１ａ又は第２の顧客操作部１１ｂは、音声ガイダンス等を出力するためのスピーカ等の音声出力装置を備えていてもよい。なお、第１の顧客操作部１１ａ及び第２の顧客操作部１１ｂを統合的に説明する場合には、顧客操作部１１として説明する。
【００３１】
また、前記自動取引装置１０は、キャッシュカード等のカードを取り扱うカード取扱い部としてのカード取扱いユニット１３を有する。ここで、前記カードは、金融機関が顧客に対して発行した入金、出金、残高照会、振込、振替、定期性預金設定、暗証番号変更、預入限度額の変更及び照会、外貨預金取引等の金融取引を行うためのカードであり、顧客の氏名、口座番号、暗証番号等の情報を磁気データとして記録する磁気ストライプを備える。なお、前記カードは、ＩＣを備えるＩＣカードであってもよく、この場合、前記情報の少なくとも一部は、ＩＣに電子データとして記録される。
【００３２】
そして、前記カード取扱いユニット１３は、カードが挿入されるカードスロット１３ａを備え、該カードスロット１３ａ内には、図示されないカードを搬送する搬送装置、及び、カードの磁気ストライプに記録された磁気データの読取り、上書き、消去等を行うための磁気ヘッド等の記録ヘッドが配設される。また、ＩＣに記録された電子データを読み取るＩＣ読取り装置も配設される。なお、前記カード取扱いユニット１３は他の金融機関の発行したキャッシュカードやクレジットカード、デビットカード等の他の種類のカードも取り扱えることが望ましい。
【００３３】
さらに、前記カード取扱いユニット１３は取引明細票を発行するレシート排出スロット１３ｂを備える。前記取引明細票は、入金、出金、残高照会、振込、振替、定期性預金設定、暗証番号変更、預入限度額の変更及び照会、外貨預金取引等の顧客が行った金融取引に関する情報が印刷される紙片であり、口座番号、金融取引の種類、取引金額等が印刷される。なお、前記取引明細票は、顧客が希望したときだけに発行されるようにしてもよい。
【００３４】
そして、前記自動取引装置１０は、通帳を処理する通帳処理部としての通帳記帳機１４を有する。ここで、前記通帳は、金融機関が顧客に対して発行した預金通帳等の冊子状の通帳であり、入金、出金、残高照会、振込、振替、定期性預金設定、暗証番号変更、預入限度額の変更及び照会、外貨預金取引等の金融取引の記録が印刷されるものである。なお、前記通帳の表表紙又は裏表紙には、顧客の氏名、口座番号、暗証番号等の情報を格納する磁気ストライプを備える。
【００３５】
また、前記通帳記帳機１４は、通帳が挿入される通帳挿入口としての通帳スロット１４ａを備え、該通帳スロット１４ａから挿入された通帳に対して記帳処理等の処理を行い、処理が終了した通帳を通帳スロット１４ａから排出する。
【００３６】
さらに、前記自動取引装置１０は、紙幣又は硬貨を取り扱う貨幣入出金部としての貨幣入出金ユニット１５を有する。該貨幣入出金ユニット１５は、入金等の金融取引において顧客が入金した現金を受け取り、カウントするとともに、出金等の金融取引において所定金額の紙幣又は硬貨を貨幣受取り口１５ａから払い出す。なお、該貨幣受取り口１５ａにはシャッタが配設され、該シャッタは、紙幣又は硬貨を払い出すときに開くようになっている。
【００３７】
また、前記自動取引装置１０は、プログラムに従って動作を行う一種のコンピュータであり、主制御部１６を有する。該主制御部１６は、ＣＰＵ、ＭＰＵ等の演算手段、半導体メモリ、磁気ディスク等の記憶手段、通信インターフェイス等を備え、前記自動取引装置１０の動作を統括的に制御する。
【００３８】
そして、前記自動取引装置１０は、図示されないネットワークを介して金融機関のコンピュータセンタ等に配設された勘定系上位装置としてのホストコンピュータと通信可能に接続されている。なお、前記ネットワークは、有線又は無線の公衆通信回線網、専用通信回線網、イントラネット、ＬＡＮ（Ｌｏｃａｌ  Ａｒｅａ  Ｎｅｔｗｏｒｋ）、ＷＡＮ（Ｗｉｄｅ  Ａｒｅａ  Ｎｅｔｗｏｒｋ）、ＶＰＮ（Ｖｉｒｔｕａｌ  Ｐｒｉｖａｔｅ  Ｎｅｔｗｏｒｋ）、衛星通信回線網等いかなる通信回線網であってもよく、これらを適宜組み合わせたものであってもよい。
【００３９】
次に、前記通帳記帳機１４の構成について詳細に説明する。
【００４０】
図３は本発明の第１の実施の形態における通帳記帳機の構成を示す図である。
【００４１】
図に示されるように、通帳記帳機１４は、通帳スロット１４ａに接続された通帳搬送路２５を備え、所定の頁を開いた状態で前記通帳スロット１４ａに挿入された通帳は、通帳搬送路２５に配設された図示されない搬送ローラ、搬送ベルト等によって通帳搬送路２５内を奥方向（図における左方向）に向けて搬送される。
【００４２】
そして、前記通帳搬送路２５に沿って、光学読取り部としての光学センサ部２１、自動頁めくり機としてのＡＴＰ（Ａｕｔｏ  Ｔｕｒｎ  Ｐａｇｅ）部２２、プリンタとしての印字部２３及び取忘れ取込み部２４が配設されている。
【００４３】
前記光学センサ部２１は、図示されない発光素子、受光素子等を備え、通帳の開かれた頁に印字された事項の読取りを行う。例えば、頁に印字された頁マーク、金融取引の記録が印字された行、すなわち、印字済み行の行数等を読み取る。
【００４４】
また、前記ＡＴＰ部２２は、開かれた頁に印字余地がない場合、すなわち、開かれた頁のすべての行が印字済み行である場合に、頁めくりを行い、次の頁を開く動作を行う。
【００４５】
さらに、前記印字部２３は、図示されない印字ヘッドを備え、該印字ヘッドによって金融取引の明細等の印字事項を通帳の開かれた頁の所定箇所に印字する。なお、前記印字ヘッドは、例えば、インクジェット方式、ワイヤドット方式、熱転写方式等の印字方式を採用するものであるが、いかなる種類の印字方式のものであってもよい。
【００４６】
また、前記取忘れ取込み部２４は、通帳を保管する図示されない通帳保管庫を備え、顧客が取り忘れた通帳を保管する。すなわち、通帳記帳機１４は、記帳処理等の処理が終了した通帳を通帳スロット１４ａから排出するのであるが、排出して所定の時間が経過しても通帳が通帳スロット１４ａから取り出されないときは、顧客が通帳を取り忘れたものと判断し、当該通帳を取忘れ取込み部２４に搬入して保管するようになっている。
【００４７】
なお、本実施の形態における通帳記帳機１４は、通帳の表表紙又は裏表紙に貼付された磁気ストライプの磁気データの読取り及び書込みを行うリードライト部を備えていない。すなわち、前記通帳記帳機１４は、磁気ストライプのリードライト処理を行わない。
【００４８】
次に、前記構成の自動取引装置１０の動作について説明する。
【００４９】
図４は本発明の第１の実施の形態における自動取引装置の動作を示すフローチャートである。
【００５０】
まず、顧客は、金融機関の支店等に配設された自動取引装置１０を操作して金融取引を開始する。この場合、前記自動取引装置１０は、顧客操作部１１のタッチパネルから成る表示装置に、金融取引を選択するためのガイダンスとして取引選択画面を表示する。該取引選択画面には、入金、出金、通帳記帳、残高照会、振込、振替、送金、定期性預金設定等の金融取引を選択するための取引選択用の操作ボタンが表示される。そして、顧客は、表示されている操作ボタンの中から所望の金融取引を選択するための操作ボタンにタッチする。ここでは、金融取引として通帳記帳を選択した場合について説明する。
【００５１】
そして、通帳記帳が選択されると、自動取引装置１０は、表示装置に「通帳と同じ口座のカードを挿入して下さい。」との文言を表示し、カード挿入待ち状態となる。続いて、カード取扱いユニット１３のカードスロット１３ａに顧客がカードを挿入すると、自動取引装置１０は、カードの磁気ストライプの読取り処理としてのカードＭＳリードを行い、読取り処理が正常に行われたか否かを判断する。すなわち、正常リードであるかリードエラーであるかを判断する。なお、カードがＩＣカードであるときには、ＩＣに記録された電子データを読み取る。
【００５２】
そして、リードエラーである場合、自動取引装置１０は、カードを返却して処理を終了する。また、正常リードである場合、顧客の本人認証のために暗証番号入力が行われる。なお、生体情報認証が必要な場合には、アイリス、指紋、手のひら静脈パターン、手指静脈パターン等に基づいて、生体認証が行われる。続いて、自動取引装置１０は、暗証番号認証及び／又は生体認証が正常に行われたか否かを判断する。すなわち、認証ＯＫであるか認証ＮＧであるかを判断する。
【００５３】
そして、認証ＮＧである場合、自動取引装置１０は、カードを返却して処理を終了する。また、認証ＯＫである場合、自動取引装置１０は、読み取った磁気ストライプの磁気データをホストコンピュータに送信する。すると、該ホストコンピュータは、前記磁気データ、すなわち、カードＭＳデータの正当性をチェックし、正当であるか否かを判断する。また、ホストコンピュータは、該当する口座について通帳に記帳していない明細があるか否か、すなわち、未記帳データがあるか否かについても判断する。
【００５４】
そして、磁気データが正当でない、すなわち、チェックＮＧである場合、ホストコンピュータは、その旨を自動取引装置１０に送信する。すると、自動取引装置１０は、カードを返却して処理を終了する。なお、未記帳データがない場合にも、自動取引装置１０は、カードを返却して処理を終了する。
【００５５】
また、磁気データが正当である、すなわち、チェックＯＫである場合であって、かつ、未記帳データがある場合、ホストコンピュータは、その旨を自動取引装置１０に送信する。すると、該自動取引装置１０は、記帳する通帳が正常なものであることを確認するために、顧客に対して通帳に記載されている口座番号の入力を促す旨の表示を顧客操作部１１の表示装置に行う。続いて、顧客は、顧客操作部１１のキーボード等を操作して、通帳に記載されている口座番号をキー入力する。
【００５６】
すると、自動取引装置１０は、キー入力された口座番号をホストコンピュータに送信する。そして、該ホストコンピュータは、口座番号をチェックする。具体的には、キー入力された口座番号が、カードの磁気データに基づいてホストコンピュータが検出した口座番号と同一であるか否かを判断する。そして、同一でない場合、すなわち、チェックＮＧである場合、ホストコンピュータは、その旨を自動取引装置１０に送信する。すると、自動取引装置１０は、カードを返却して処理を終了する。
【００５７】
なお、チェックＮＧである場合に、顧客に口座番号のキー入力を再度行わせる、すなわち、キー入力リトライを行わせることもできる。また、ホストコンピュータが検出した口座番号を自動取引装置１０に送信することによって、自動取引装置１０が口座番号をチェックするようにすることもできる。
【００５８】
また、キー入力された口座番号が、カードの磁気データに基づいてホストコンピュータが検出した口座番号と同一である場合、すなわち、チェックＯＫである場合、ホストコンピュータは、記帳可能である旨を自動取引装置１０に送信する。すると、自動取引装置１０は、顧客に対して通帳を通帳スロット１４ａに挿入することを促す旨の表示を顧客操作部１１の表示装置に行う。
【００５９】
そして、顧客が通帳を通帳スロット１４ａに挿入して通帳挿入が行われると、通帳記帳機１４は、通帳頁マーク及び最終印字済み行読取りを行う。具体的には、光学センサ部２１は、通帳の開かれた頁に印字された頁マーク及び印字済みの行数を読み取る。そして、自動取引装置１０は、ホストコンピュータに通帳挿入完了を送信する。
【００６０】
すると、ホストコンピュータは、未記帳データの記帳電文、並びに、最終印字済みの頁数及び行数のデータを自動取引装置１０に送信する。具体的には、該当する口座について通帳に記帳していない明細を通帳に印字するための印字電文と、印字済みの頁のうちの最終頁のデータと、印字済みの行のうちの最終行のデータとを送信する。
【００６１】
続いて、自動取引装置１０は、ホストコンピュータから受信した正しい最終頁及び行とのマッチングチェック（コンペアチェック）を行う。具体的には、ホストコンピュータから受信した印字済みの頁のうちの最終頁のデータ及び印字済みの行のうちの最終行のデータを、光学センサ部２１が読み取った頁マークが示す頁数及び印字済みの行の最終行数と比較して、一致するか否かを判断する。そして、一致しない場合、すなわち、マッチングＮＧである場合、自動取引装置１０は、カード及び通帳を返却して処理を終了する。なお、マッチングＮＧである場合に、顧客に通帳の挿入を再度行わせる、すなわち、再挿入リトライを行わせることもできる。
【００６２】
また、一致する場合、すなわち、通帳の正しい頁が開かれている場合、通帳記帳機１４は、ホストコンピュータから受信した記帳電文を印字する。具体的には、印字部２３が記帳していない明細を通帳に印字する。そして、自動取引装置１０は、正常に印字が完了したか否かを判断し、正常に印字が完了しなかった場合には、印字エラーであると判断して、「印字未完了」をホストコンピュータに送信し、処理を終了する。また、正常に印字が完了した場合には、「印字完了」をホストコンピュータに送信する。
【００６３】
さらに、自動取引装置１０は、ホストコンピュータから受信した印字電文のすべてが印字されたか否か、すなわち、未記帳データ残があるか否かを判断する。そして、ホストコンピュータから受信した印字電文のすべてが印字された場合には、未記帳データ残がないものとして、カードスロット１３ａ及び通帳スロット１４ａに挿入されたカード及び通帳を返却し、処理を終了する。
【００６４】
また、ホストコンピュータから受信した印字電文のすべてが印字されていない場合、すなわち、未記帳データが複数の頁に亘（わた）る場合には、未記帳データ残があるものとして、＋１枚のオートターン頁処理、すなわち、ＡＴＰ処理を実行する。具体的には、ＡＴＰ部２２が通帳の頁めくりを行い、次の頁を開く。そして、通帳記帳機１４は、再度、通帳頁マーク及び最終印字済行読取りを行う。
【００６５】
次に、フローチャートについて説明する。
ステップＳ１  顧客がカードを挿入する。
ステップＳ２  自動取引装置１０は、カードＭＳリードを行い、正常リードであるかリードエラーであるかを判断する。正常リードである場合はステップＳ４に進み、リードエラーである場合はステップＳ３に進む。
ステップＳ３  自動取引装置１０は、カードを返却して処理を終了する。
ステップＳ４  自動取引装置１０は、暗証番号認証及び／又は生体認証が認証ＯＫであるか認証ＮＧであるかを判断する。認証ＯＫである場合はステップＳ５に進み、認証ＮＧである場合はステップＳ３に戻る。
ステップＳ５  ホストコンピュータは、カードＭＳデータが正当か否かを判断し、また、未記帳データがあるか否かについて判断する。チェックＯＫである場合はステップＳ６に進み、チェックＮＧである場合はステップＳ３に戻る。
ステップＳ６  顧客は、通帳に記載されている口座番号をキー入力する。
ステップＳ７  ホストコンピュータは、キー入力された口座番号が、ホストコンピュータが検出した口座番号と同一であるか否かを判断する。チェックＯＫの場合はステップＳ８に進み、チェックＮＧである場合はステップＳ３に戻る。
ステップＳ８  顧客が通帳を挿入する。
ステップＳ９  通帳記帳機１４は、通帳頁マーク及び最終印字済み行読取りを行う。
ステップＳ１０  ホストコンピュータは、未記帳データの記帳電文、並びに、最終印字済みの頁数及び行数のデータを自動取引装置１０に送信する。
ステップＳ１１  自動取引装置１０は、ホストコンピュータから受信した最終頁のデータ及び最終行のデータを、光学センサ部２１が読み取った頁数及び最終行数と比較して、一致するか否かを判断する。正しい頁が開かれている場合はステップＳ１２に進み、マッチングＮＧの場合はステップＳ１６に進む。
ステップＳ１２  通帳記帳機１４は、ホストコンピュータから受信した記帳電文を印字し、自動取引装置１０は正常に印字が完了したか否かを判断する。正常に印字が完了した場合はステップＳ１４に進み、印字エラーである場合はステップ１３に進む。
ステップＳ１３  自動取引装置１０は、「印字未完了」をホストコンピュータに送信する。
ステップＳ１４  自動取引装置１０は、「印字完了」をホストコンピュータに送信し、未記帳データ残があるか否かを判断する。未記帳データ残がない場合はステップＳ１６に進み、未記帳データ残がある場合はステップＳ１５に進む。
ステップＳ１５  ＋１枚のＡＴＰ処理を実行する。
ステップＳ１６  挿入されたカード及び通帳を返却し、処理を終了する。
【００６６】
このように、本実施の形態において、自動取引装置１０は、通帳に記帳する記帳処理を行う場合、光学センサ部２１が読み取った頁マークが示す頁数及び印字済みの行の最終行数を、ホストコンピュータから受信した印字済みの頁のうちの最終頁のデータ及び印字済みの行のうちの最終行のデータと比較して、マッチングチェックを行うようになっている。つまり、光学センサ部２１が読み取った頁数及び印字済みの最終行数を、ホストコンピュータから受信した印字済みの最終頁のデータ及び印字済みの最終行のデータと比較してマッチングチェックを行うようになっている。そして、光学センサ部２１が読み取った頁数及び印字済みの最終行数とホストコンピュータから受信した印字済みの最終頁のデータ及び印字済みの最終行のデータとが一致すると、通帳記帳機１４が記帳処理を行う。
【００６７】
そのため、マッチングチェックのためのデータを通帳に添付された磁気ストライプから読み取る必要がないので、通帳に添付された磁気ストライプのリードライト処理を省略することができる。したがって、各種の磁気ストライプ態様に適応可能なリードライト部を通帳記帳機１４に配設する必要がないので、自動取引装置１０のコストや容積を低減することができ、かつ、磁気ストライプ態様が相違する複数の金融機関が発行した通帳の記帳処理を行うことができる。
【００６８】
次に、本発明の第２の実施の形態について説明する。なお、第１の実施の形態と同じ構造を有するものについては、同じ符号を付与することによってその説明を省略する。また、前記第１の実施の形態と同じ動作及び同じ効果についても、その説明を省略する。
【００６９】
図５は本発明の第２の実施の形態における通帳の記帳例を示す図である。
【００７０】
本実施の形態において、自動取引装置１０の通帳記帳機１４は、通帳に明細を印字する際に、明細の印字箇所の欄外の目立たない箇所に印字電文以外のマークであって、通帳に添付された磁気ストライプのリードライト処理を省略したことを示すマークを印字する。例えば、図に示されるように、「Ｍ」を丸で囲んだマークである「ＭＳ（磁気ストライプ）処理なし記帳」であることを識別可能なマークを印字する。
【００７１】
前記第１の実施の形態において説明したように、通帳に記帳する記帳処理を行う場合に、通帳に添付された磁気ストライプのリードライト処理を省略すると、磁気ストライプの磁気データに含まれる最終印字頁及び最終印字行のデータが更新されない。そのため、その後に、「背景技術」の項で説明した従来の自動取引装置のように、マッチングチェックのためのデータを通帳に添付された磁気ストライプから読み取る自動取引装置で通帳の記帳を行うとしても、磁気ストライプに含まれる最終印字頁及び最終印字行のデータが更新されていないので、マッチングチェック不可能となって、記帳を行うことができなくなってしまう。  
【００７２】
そこで、本実施の形態において、自動取引装置１０の通帳記帳機１４は、通帳に明細を印字する際に、前記リードライト処理を省略したことを示すマークを明細の印字箇所の欄外の目立たない箇所に印字する。一方、従来の自動取引装置のように、通帳の表表紙又は裏表紙に貼付された磁気ストライプの磁気データの読取り及び書込みを行うリードライト部を備える自動取引装置は、磁気ストライプのリードライト処理を行うようになっているが、磁気ストライプの磁気データに含まれる最終印字頁及び最終印字行のデータと比較してマッチングチェックを行った結果がマッチングＮＧである場合、前記マークに基づいてマッチングチェックを行う。これにより、自動取引装置１０によって磁気ストライプのリードライト処理を省略して記帳が行われた通帳であっても、前記マークが印字されていれば、その後にも、記帳を行うことが可能となる。
【００７３】
次に、前記リードライト部を備える自動取引装置の動作について説明する。
【００７４】
図６は本発明の第２の実施の形態におけるリードライト部を備える自動取引装置の動作を示すフローチャートである。
【００７５】
ここでは、従来の自動取引装置のように、リードライト部を備える自動取引装置が磁気ストライプのリードライト処理を行う場合の動作についてのみ説明する。
【００７６】
まず、顧客は、金融機関の支店等に配設された自動取引装置を操作して金融取引を開始する。この場合、前記自動取引装置は、顧客操作部のタッチパネルから成る表示装置に、金融取引を選択するためのガイダンスとして取引選択画面を表示する。該取引選択画面には、入金、出金、通帳記帳、残高照会、振込、振替、送金、定期性預金設定等の金融取引を選択するための取引選択用の操作ボタンが表示される。そして、顧客は、表示されている操作ボタンの中から所望の金融取引を選択するための操作ボタンにタッチする。ここでは、金融取引として通帳記帳を選択した場合について説明する。
【００７７】
そして、通帳記帳を選択した後、顧客は、通帳を通帳スロットに挿入し、通帳挿入を行う。すると、自動取引装置の通帳記帳機は、通帳の磁気ストライプの読取り処理としての通帳ＭＳリードを行い、読取り処理が正常に行われたか否かを判断する。すなわち、正常リードであるかリードエラーであるかを判断する。
【００７８】
そして、リードエラーである場合、通帳記帳機は、通帳を返却して処理を終了する。また、正常リードである場合、通帳記帳機は、通帳頁マーク及び最終印字済み行読取りを行う。具体的には、光学センサ部は、通帳の開かれた頁に印字された頁マーク及び印字済みの行数を読み取る。
【００７９】
続いて、自動取引装置は、ＭＳデータの最終頁及び行と光学センス頁及び行とのマッチングチェック（コンペアチェック）を行う。具体的には、通帳記帳機が通帳の磁気ストライプから読み取った磁気データに含まれる最終印字頁及び最終印字行のデータを、光学センサ部が読み取った頁マークが示す頁数及び印字済みの行の最終行数と比較して、一致するか否かを判断する。
【００８０】
そして、一致する場合、すなわち、マッチングＯＫである場合、自動取引装置は、通帳チェックＯＫをホストコンピュータに送信する。また、該ホストコンピュータに未記帳データがあれば、ホストコンピュータから記帳電文を受信する。すると、通帳記帳機は、ホストコンピュータから受信した記帳電文を印字する。具体的には、印字部が記帳していない明細を通帳に印字する。そして、自動取引装置は、正常に印字が完了したか否かを判断し、正常に印字が完了しなかった場合には、印字エラーであると判断して、「印字未完了」をホストコンピュータに送信する。また、正常に印字が完了した場合には、「印字完了」をホストコンピュータに送信する。
【００８１】
続いて、通帳記帳機は、ＭＳデータの更新を行い、磁気ストライプに含まれる最終印字頁及び最終印字行のデータを更新する。さらに、自動取引装置は、ホストコンピュータから受信した印字電文のすべてが印字されたか否か、すなわち、未記帳データ残があるか否かを判断する。そして、ホストコンピュータから受信した印字電文のすべてが印字された場合には、未記帳データ残がないものとして、通帳スロットに挿入された通帳を返却し、処理を終了する。
【００８２】
一方、マッチングチェックを行って、マッチングＮＧである場合、自動取引装置は、「ＭＳ処理なし記帳」マーク読取りを行う。具体的には、通帳記帳機がリードライト処理を省略したことを示すマークを読み取る。そして、自動取引装置は、通帳の開かれている頁に「ＭＳ処理なし記帳」マークがない印字済みの行があるか否かを判断する。すなわち、印字済みの行であって前記マークが付与されていない行があるか否かを判断する。
【００８３】
そして、前記マークが付与されていない行がある場合、自動取引装置は、ＭＳデータの最終頁及び行と「ＭＳ処理なし記帳」マークがない最終頁及び行とのマッチングチェックを行う。具体的には、通帳記帳機が通帳の磁気ストライプから読み取った磁気データに含まれる最終印字頁及び最終印字行のデータを、印字済みの頁であって前記マークが付与されていない頁のうちの最終の頁及び印字済みの行であって前記マークが付与されていない行のうちの最終の行と比較して、一致するか否かを判断する。
【００８４】
そして、一致する場合、すなわち、マッチングＯＫである場合、自動取引装置は、通帳チェックＯＫをホストコンピュータに送信する。また、一致しない場合、すなわち、マッチングＮＧである場合、自動取引装置は、通帳を返却して処理を終了する。
【００８５】
一方、通帳の開かれている頁に「ＭＳ処理なし記帳」マークがない印字済みの行があるか否かを判断し、当該頁内のすべての行が「ＭＳ処理なし記帳」マークのある印字済みの行である場合、自動取引装置は、当該頁が最初の頁ではないか否かを判断する。そして、最初の頁である場合、すなわち、通帳の先頭頁である場合、自動取引装置は、通帳を返却して処理を終了する。
【００８６】
また、最初の頁ではない場合、すなわち、通帳の先頭頁ではない場合、自動取引装置は、−１枚のオートターン頁処理、すなわち、−１枚めくりＡＴＰ処理を実行する。具体的には、ＡＴＰ部が通帳の頁めくりを行い、１枚前の頁を開く。そして、通帳記帳機は、再度、「ＭＳ処理なし記帳」マーク読取りを行う。
【００８７】
なお、ホストコンピュータから受信した印字電文のすべてが印字されていない場合、すなわち、未記帳データが複数の頁に亘る場合、自動取引装置は、未記帳データ残があるものとして、＋１枚のオートターン頁処理、すなわち、ＡＴＰ処理を実行する。具体的には、ＡＴＰ部が通帳の頁めくりを行い、次の頁を開く。そして、通帳記帳機は、再度、「ＭＳ処理なし記帳」マーク読取りを行う。
【００８８】
次に、フローチャートについて説明する。
ステップＳ２１  顧客が通帳を挿入する。
ステップＳ２２  通帳記帳機は、通帳ＭＳリードを行い、正常リードであるかリードエラーであるかを判断する。正常リードである場合はステップＳ２３に進み、リードエラーである場合はステップＳ２９に進む。
ステップＳ２３  通帳記帳機は、通帳頁マーク及び最終印字済み行読取りを行う。
ステップＳ２４  自動取引装置は、通帳記帳機が読み取った最終印字頁及び最終印字行のデータを、光学センサ部が読み取った頁数及び最終行数と比較して、一致するか否かを判断する。マッチングＯＫである場合はステップＳ２５に進み、マッチングＮＧである場合はステップＳ３１に進む。
ステップＳ２５  自動取引装置は、通帳チェックＯＫをホストコンピュータに送信し、ホストコンピュータに未記帳データがあれば、ホストコンピュータから記帳電文を受信する。
ステップＳ２６  通帳記帳機は、ホストコンピュータから受信した記帳電文を印字し、自動取引装置は、正常に印字が完了したか否かを判断する。正常に印字が完了した場合はステップＳ２７に進み、印字エラーである場合はステップＳ３０に進む。
ステップＳ２７  自動取引装置は、「印字完了」をホストコンピュータに送信する。
ステップＳ２８  通帳記帳機は、ＭＳデータの更新を行い、自動取引装置は、未記帳データ残があるか否かを判断する。未記帳データ残がない場合はステップＳ２９に進み、未記帳データ残がある場合はステップＳ３６に進む。
ステップＳ２９  挿入された通帳を返却し、処理を終了する。
ステップＳ３０  自動取引装置は、「印字未完了」をホストコンピュータに送信する。
ステップＳ３１  自動取引装置は、「ＭＳ処理なし記帳」マーク読取りを行う。
ステップＳ３２  自動取引装置は、通帳の開かれている頁に「ＭＳ処理なし記帳」マークがない印字済みの行があるか否かを判断する。マークが付与されていない行がある場合はステップＳ３３に進み、頁内のすべての行がマークのある行である場合はステップＳ３４に進む。
ステップＳ３３  自動取引装置は、通帳記帳機が読み取った最終印字頁及び最終印字行のデータを、マークが付与されていない最終の頁及び最終の行と比較して、一致するか否かを判断する。マッチングＯＫである場合はステップＳ２５に戻り、マッチングＮＧである場合はステップＳ２９に戻る。
ステップＳ３４  自動取引装置は、当該頁が最初の頁ではないか否かを判断する。最初の頁ではない場合はステップＳ３５に進み、通帳の先頭頁である場合ステップＳ２９に戻る。
ステップＳ３５  自動取引装置は、−１枚のＡＴＰ処理を実行する。
ステップＳ３６  自動取引装置は、＋１枚のＡＴＰ処理を実行する。
【００８９】
このように、本実施の形態において、自動取引装置１０の通帳記帳機１４は、通帳に明細を印字する際に、前記リードライト処理を省略したことを示すマークを明細の印字箇所の欄外の目立たない箇所に印字する。つまり、光学センサ部２１が読み取った頁数及び印字済みの最終行数とホストコンピュータから受信した印字済みの最終頁のデータ及び印字済みの最終行のデータとが一致すると、通帳記帳機１４が記帳処理を行い、該記帳処理によって印字した行であることを示すマークを印字する。一方、リードライト部を備える自動取引装置は、通帳の磁気ストライプの磁気データに含まれる最終印字頁及び最終印字行のデータと比較してマッチングチェックを行った結果がマッチングＮＧである場合、前記マークに基づいてマッチングチェックを行う。
【００９０】
これにより、自動取引装置１０によって磁気ストライプのリードライト処理を省略して記帳が行われた通帳であっても、前記マークが印字されていれば、その後にも、記帳を行うことが可能となる。
【００９１】
なお、前記第１の実施の形態においては、通帳に記載された口座番号を顧客にキー入力させる例について説明したが、通帳の表紙や見返しに記載された口座番号を、光学センサ部２１又は専用のイメージセンサによって読み取るようにして、顧客にキー入力させないようにすることもできる。
【００９２】
また、前記第２の実施の形態においては、「ＭＳ処理なし記帳」マークを欄外に印字することによって前記マークを識別させる例について説明したが、前記マークの印字色を他の印字部分の色と相違させたり、前記マークのフォントを他の印字部分のフォントと相違させたりすることによって前記マークを識別させることも可能である。
【００９３】
さらに、前記第１の実施の形態においては、顧客が「通帳記帳取引」を選択すると、「通帳と同じ口座のカード」を挿入するように顧客を誘導する例について説明したが、顧客が「通帳記帳取引」を選択すると、「他行通帳に記帳しますか？」等のコメントを表示し、「他行通帳記帳取引」が選択されたら、「通帳と同じ口座のカード」を挿入するように顧客を誘導してもよい。また、挿入された通帳の磁気ストライプを読み取ることができない場合に「他行通帳」と判断し、「通帳と同じ口座のカード」を挿入するように顧客を誘導してもよい。
【００９４】
さらに、顧客が「通帳記帳取引」を選択した後、「磁気ストライプ有／無」を顧客が選択することができるようにし、「磁気ストライプ無」が選択されたら「通帳と同じ口座のカード」を挿入するように顧客を誘導してもよい。これにより、「磁気ストライプ無通帳」に対応可能な自動取引装置とすることも可能である。
【００９５】
なお、本発明は前記実施の形態に限定されるものではなく、本発明の趣旨に基づいて種々変形させることが可能であり、それらを本発明の範囲から排除するものではない。
【図面の簡単な説明】
【００９６】
【図１】本発明の第１の実施の形態における自動取引装置の構成を示す図である。
【図２】通帳の磁気ストライプ態様の例を示す図である。
【図３】本発明の第１の実施の形態における通帳記帳機の構成を示す図である。
【図４】本発明の第１の実施の形態における自動取引装置の動作を示すフローチャートである。
【図５】本発明の第２の実施の形態における通帳の記帳例を示す図である。
【図６】本発明の第２の実施の形態におけるリードライト部を備える自動取引装置の動作を示すフローチャートである。
【符号の説明】
【００９７】
１０    自動取引装置
１１ａ    第１の顧客操作部
１１ｂ    第２の顧客操作部
１４    通帳記帳機
２１    光学センサ部
２３    印字部
４１    通帳
４３    磁気ストライプ
【図１】
2010026552.tif 000003
【図２】
2010026552.tif 000004
【図３】
2010026552.tif 000005
【図４】
2010026552.tif 000006
【図５】
2010026552.tif 000007
【図６】
2010026552.tif 000008